(57)【要約】  本発明は、所望のコンテンツ記述子を有する記録媒体にコンテンツを記録する方法であって、前記記録媒体から前記所望のコンテンツ記述子を読み出すステップと、前記所望のコンテンツ記述子に該当する所望のコンテンツのため少なくとも１つのマルチメディアソースのコンテンツをスキャンするステップと、前記記録媒体に前記所望のコンテンツを記録するステップとを有することを特徴とする方法に関する。当該記録キャリアは、好ましくはＤＶＤ（Ｄｉｇｉｔａｌ  Ｖｅｒｓａｔｉｌｅ  Ｄｉｓｃ）であり、前記所望のコンテンツ記述子は、好ましくはＤＶＤのブランクに含まれるキーワードであり、前記少なくとも１つのマルチメディアソースは、好ましくは、テレビ受信機である。含まれるキーワードを有するＤＶＤは、当該ＤＶＤ上のキーワードに適合するテレビ受信機からのコンテンツの記録をトリガーする。本発明はさらに、コンピュータプログラム、装置及び記録媒体に関する。
2007511856.tif 000002
【特許請求の範囲】
【請求項１】
所望のコンテンツ記述子を有する記録媒体にコンテンツを記録する方法であって、
前記記録媒体から前記所望のコンテンツ記述子を読み出すステップと、
前記所望のコンテンツ記述子に該当する所望のコンテンツのため少なくとも１つのマルチメディアソースのコンテンツをスキャンするステップと、
前記記録媒体に前記所望のコンテンツを記録するステップと、
を有することを特徴とする方法。
【請求項２】
請求項１記載の方法であって、
前記所望のコンテンツ記述子は、前記記録媒体のブランクに予め含まれていることを特徴とする方法。
【請求項３】
請求項１記載の方法であって、
前記所望のコンテンツ記述子は、前記記録媒体のブランクに予め含まれていないことを特徴とする方法。
【請求項４】
請求項１乃至３何れか一項記載の方法であって、
前記記録媒体に含まれる所望のコンテンツ記述子は、さらなる変更又は拡張が不可であることを特徴とする方法。
【請求項５】
請求項１乃至３何れか一項記載の方法であって、
前記記録媒体に含まれる所望のコンテンツ記述子は、さらなる変更又は拡張が可能であることを特徴とする方法。
【請求項６】
請求項１乃至５何れか一項記載の方法であって、
前記所望のコンテンツ記述子は、前記記録媒体から同一又は異なるタイプの記録媒体に転送可能であることを特徴とする方法。
【請求項７】
請求項１乃至６何れか一項記載の方法であって、
前記記録媒体は、コンテンツの電気、磁気及び／又は光記録に適していることを特徴とする方法。
【請求項８】
請求項１乃至７何れか一項記載の方法であって、
前記所望のコンテンツ記述子は、キーワード又はキーワードのリストであることを特徴とする方法。
【請求項９】
請求項１乃至７何れか一項記載の方法であって、
前記所望のコンテンツ記述子は、所定のコンテンツ記述子フォーマットに従うことを特徴とする方法。
【請求項１０】
請求項１乃至７何れか一項記載の方法であって、
前記所望のコンテンツ記述子は、マルチメディアサンプルを有することを特徴とする方法。
【請求項１１】
請求項１乃至１０何れか一項記載の方法であって、
前記所望のコンテンツ記述子は、所定のコンテンツ記述子であることを特徴とする方法。
【請求項１２】
請求項１乃至１０何れか一項記載の方法であって、
前記所望のコンテンツ記述子は、当該方法のユーザにより規定されることを特徴とする方法。
【請求項１３】
請求項１乃至１２何れか一項記載の方法であって、
少なくとも１つのマルチメディアソースからの前記コンテンツは、画像、音声及び／又はテキスト情報を有することを特徴とする方法。
【請求項１４】
請求項１乃至１３何れか一項記載の方法であって、
前記少なくとも１つのマルチメディアソースは、テレビ及び／又はラジオ番組の受信機であることを特徴とする方法。
【請求項１５】
請求項１乃至１３何れか一項記載の方法であって、
前記少なくとも１つのマルチメディアソースは、コンピュータネットワーク、特にインターネットに接続される装置であることを特徴とする方法。
【請求項１６】
請求項１３記載の方法であって、
前記少なくとも１つのマルチメディアソースのコンテンツをスキャンするステップは、画像、音声及び／又はワード処理を有することを特徴とする方法。
【請求項１７】
請求項１乃至１６何れか一項記載の方法であって、
前記少なくとも１つのマルチメディアソースのコンテンツをスキャンするステップは、前記利用可能なコンテンツ量及び／又は前記すでに記録されたコンテンツに応じて、動的に実行されることを特徴とする方法。
【請求項１８】
デジタルコンピュータの内部メモリに直接ロード可能なコンピュータプログラムであって、
コンピュータ上での実行時、請求項１乃至１７何れか一項記載の方法の各ステップを実行するためのソフトウェアコード部分を有することを特徴とするコンピュータプログラム。
【請求項１９】
所望のコンテンツ記述子を有する記録媒体にコンテンツを記録する装置であって、
前記記録媒体から前記所望のコンテンツ記述子を読み出す手段と、
前記所望のコンテンツ記述子に該当する所望のコンテンツのため少なくとも１つのマルチメディアソースのコンテンツをスキャンする手段と、
前記記録媒体に前記所望のコンテンツを記録する手段と、
を有することを特徴とする装置。
【請求項２０】
請求項１９記載の装置であって、
前記少なくとも１つのマルチメディアソースのコンテンツをスキャンする手段は、画像、音声及び／又はワード処理する手段を有することを特徴とする装置。
【請求項２１】
所望のコンテンツ記述子を有する記録媒体であって、
前記所望のコンテンツ記述子は、該所望のコンテンツ記述子に該当し、当該記録媒体に記録される所望のコンテンツのため少なくとも１つのマルチメディアソースのコンテンツのスキャンをトリガーするため、当該記録媒体から読み出し可能であることを特徴とする記録媒体。
【請求項２２】
請求項２１記載の記録媒体であって、
当該記録媒体は、コンテンツの電気、磁気及び／又は光記録に適していることを特徴とする記録媒体。
【発明の詳細な説明】
【技術分野】
【０００１】
本発明は、所望のコンテンツ記述子を有する記録媒体にコンテンツを記録するための方法、コンピュータプログラム、装置及び記録媒体に関する。
【背景技術】
【０００２】
テレビ（ＴＶ）やラジオ受信機などのマルチメディアソースから生ずるアナログ及びデジタルコンテンツを電気／磁気／光記録媒体に記録することは、現在周知の技術である。例えば、映画やショーなどのＴＶイベントがＶＣＲ（Ｖｉｄｅｏ  Ｃａｓｓｅｔｔｅ  Ｒｅｃｏｒｄｅｒ）に記録される場合、ユーザは、ＴＶイベントがスタートしようとするときにＶＣＲの「録画」ボタンを押下し、ＴＶイベントが終了すると「停止」ボタンを押下することによって、ＴＶイベントのテープへの磁気記録を手動により開始するか、あるいは、所望のＴＶイベントのチャンネル番号、開始及び終了時間などの予め設定されたデータによりＶＣＲをプログラムすることにより記録を自動的に開始するようにしてもよい。この技術は、ユーザが在宅していないときに配信されるＴＶイベントの記録に対し特に効果的である。米国特許第５，３７９，１５３Ａ号は、特定時刻に少なくとも１つのソースから供給されるイベントを記録媒体に記録及び再生するための装置を開示している。すべてのプログラムされたＴＶイベントの完全な録画ができなくなるように、時間が重複する２以上の所望のＴＶイベントの開始及び終了時刻をユーザがプログラムするときに生じる記録コンフリクトを解消するため、米国特許第５，３７９，１５３Ａ号は、予め設定されたデータを記録媒体に記録することを提案している。すでに録画されたＴＶイベントとこれから録画されるＴＶイベントの両方を示す記録された予め設定されるデータが、記録媒体から再生可能であり、さらなる所望のＴＶイベントのため予め設定されたデータのプログラミングを容易にするようユーザに表示される。
【０００３】
最新の記録技術は、ユーザが記録することを所望するＴＶイベントの正確な知識を有することを要求し、すなわち、ＴＶイベントが放送されることに気付く必要があり、その後、ＴＶイベントの放送チャンネルと開始及び終了時刻に関する情報を収集する必要がある。
【発明の開示】
【発明が解決しようとする課題】
【０００４】
従って、本発明の課題は、コンテンツの提供時刻及び場所に関する特定の知識を必要とすることなく、コンテンツの記録を可能にする方法、コンピュータプログラム、装置及び記録媒体を提供することである。
【課題を解決するための手段】
【０００５】
所望のコンテンツ記述子を有する記録媒体にコンテンツを記録する方法であって、前記記録媒体から前記所望のコンテンツ記述子を読み出すステップと、前記所望のコンテンツ記述子に該当する所望のコンテンツのため少なくとも１つのマルチメディアソースのコンテンツをスキャンするステップと、前記記録媒体に前記所望のコンテンツを記録するステップとを有することを特徴とする方法が提案される。所望のコンテンツ記述子は、例えば、磁気テープ又はＤＶＤ（Ｄｉｇｉｔａｌ  Ｖｅｒｓａｔｉｌｅ  Ｄｉｓｃ）であってもよい記録キャリアに記録されるコンテンツを指定する。所望のコンテンツ記述子は、映画タイトルやイベントタイトルなどのシンプルなキーワード又はキーワードリストの形式をとる。しかしながら、スポーツ、ニュース、ドラマ、アクションなどのトピックを記述するより汎用的な所望のコンテンツ記述子を想定することができる。記録媒体が、ＶＣＲやＤＶＤレコーダなどの記録装置に投入されると、所望のコンテンツ記述子は記録装置により読み出される。記録装置は、ＴＶ受信機などの少なくとも１つのマルチメディアソースに接続され、ＴＶ受信機により受信可能なすべてのチャンネルにアクセスするようにしてもよい。記録装置は、所望のコンテンツ記述子により特徴付けされる部分に対して、ＴＶ映画やショーなどの映像及び音声サンプルなどを有するマルチメディアソースのコンテンツをスキャンする。このような部分、すなわち、所望のコンテンツが検出されると、それらは記録媒体に記録される。このとき、実質的には、記録媒体は所望のコンテンツ記述子に該当する記録コンテンツしか含まない。本技術の大きな効果は、記録方法のユーザが、もはや所定のデータをプログラムするか、又はイベントが与えられることを知る必要がなくなるということである。所望のコンテンツ記述子を含む記録媒体を記録装置に挿入することは、所望のコンテンツに対しすべての利用可能なマルチメディアを自動的にスキャンするよう記録装置をトリガーする。例えば、所望のコンテンツ記述子が映画タイトルである場合、ユーザは、映画がいつ、そして何れのマルチメディアソースを介し提供されるか知る必要はなく、記録媒体に映画を記録する唯一の条件は、記録装置が所望の映画を提供するマルチメディアソースにアクセスするということである。さらに、ユーザがスポーツイベント、映画ジャンルなどのより広範なトピックに関する情報を実現することを所望する場合、記録装置は、所望のコンテンツ記述子に関連付けされ、記録媒体に記録されている各イベントの広範な集まりをもたらすより広範なトピックに該当するイベントに対してマルチメディアソースをフィルタリングするようにしてもよい。このようなコンテンツは、部分的にはすでに記録媒体に含まれてもいるかもしれない。
【０００６】
本発明の方法によると、所望のコンテンツ記述子は、前記記録媒体のブランクに予め含まれていることが好ましいかもしれない。「記録媒体のブランク」という表現は、ユーザが記録媒体に情報を書き込み、又は記録する前に生形式により記録媒体を特徴付けると理解されるべきである。従って、所望のコンテンツ記述子は、メーカー自体又は下請けによる製造過程中又は製造過程の直後に記録媒体のメーカーによって、記録媒体に規定及び書き込みされるようにしてもよい。所望のコンテンツ記述子は、記録媒体にコンテンツ記録するのに利用されるものと同一又は異なる技術により記録媒体に書き込まれてもよい。従って、所望のコンテンツ記述子が書き込まれる記録媒体上の位置は、コンテンツの標準的な記録のための位置又は特別な位置であってもよい。ユーザがブランクの記録媒体を購入すると、コンテンツ記述子はすでにそれに含まれており、これにより、ユーザは所望のコンテンツ記述子の定義及び所望のコンテンツ記述子を記録媒体に書き込むのにわざわざ処理を行う必要がない。このアプローチは、記録媒体メーカーが異なる所望のコンテンツ記述子を有する各種記録媒体を提供しているという事実が与えられた場合、ユーザはユーザの嗜好に最も良く適合する所望のコンテンツ記述子を有する記録媒体を購入することにより、何れのコンテンツが記録媒体に記録されるか選ぶことができるという大きな効果を有する。ユーザが記録媒体を自分の記録装置に挿入すると、該当コンテンツに対するすべての接続されるマルチメディアソースの自動スキャンがトリガーされ、該当コンテンツが記録媒体に記録される。例えば、ユーザが「映画：オズの魔法使い」というキーワードを含むＤＶＤブランクを購入し、それを記録装置に挿入すると、この映画に対しすべてのマルチメディアソースがスキャンされ、当該映画の検出により、それがＤＶＤブランクに記録される。ユーザが当該映画が配信又は提供されているか、いつ、どこで配信又は提供されているか検出する必要がないという効果に加えて、公衆への配信では、ロイヤリティが放送局によりカバーされているため、ユーザは基本的に映画の制作者にロイヤリティを支払う必要なく当該映画のＤＶＤを取得する。従って、ユーザは、含まれている所望のコンテンツ記述子を有するＤＶＤブランクのみの支払をしさえすればよい。少なくとも１つのマルチメディアソースからのコンテンツが、例えば、有料テレビチャンネルからの映画のように費用がかかる場合、ＤＶＤブランクに含まれる所望のコンテンツ記述子は、セキュアな有料テレビ映画の提供又は記録を可能にする有料テレビ映画のためのアクセスコードを有するようにしてもよい。所望のコンテンツ記述子を有するＤＶＤブランクの必要に加えて、ユーザは、当該有料テレビ映画を提供又は記録するのに求められるアクセスコードに対する費用を支払う必要がある。このとき、ＤＶＤブランクを販売する店舗は、有料テレビ企業の料金収集者として機能する。さらに、このアプローチにより、購入されたアクセスコードごとに、一度のみ有料テレビ映画が記録されることが保証されてもよい。
【０００７】
本発明の方法によると、所望のコンテンツ記述子は、記録媒体のブランクに予め含まれていないことが好ましいかもしれない。このとき、ユーザは自身の所望のコンテンツ記述子を規定し、又は友人やインターネットなどを介しユーザに利用可能とされた所定の所望のコンテンツ記述子を使用する可能性を有する。この所望のコンテンツ記述子は、所望されるコンテンツ自体の記録に使用されるものと同一の記録技術を介し、又は当該記録装置若しくはさらなる装置により利用可能とされる異なる書き込み技術を介し、ユーザとのやりとりにより記録装置に書き込むことができる。このとき、ユーザは、記録媒体のメーカーによっては提供されない所望のコンテンツ記述子を規定するのにより高い自由度を有することとなる。
【０００８】
本発明の方法によると、記録媒体に含まれる所望のコンテンツ記述子は、さらなる変更又は拡張が不可であることが好ましいかもしれない。所望のコンテンツ記述子が記録媒体に一度しか書き込まれないとき、メーカー又は下請けにより所望のコンテンツ記述子が記録媒体のブランクに含まれる場合、又はユーザにより所望のコンテンツ記述子が記録媒体のブランクにすでには含まれていない場合、それは固定化される。このアプローチは、ユーザの好適な所望のコンテンツ記述子を再規定するのについてユーザの自由度を低下させる。しかしながら、扱いに不慣れなユーザについては、所望のコンテンツ記述子を変更又は拡張する過程を介しユーザにガイドするため、さらなる装置又はメニューが記録装置に不要であるため、記録技術は大変簡単化される。
【０００９】
本発明の方法によると、記録媒体に含まれる所望のコンテンツ記述子は、さらなる変更又は拡張が可能であることが好まれるかもしれない。特に所望のコンテンツ記述子がメーカー又は下請けにより予め規定され、記録媒体のブランクにすでに含まれているとき、所望のコンテンツ記述子のより正確な規定のため開始ポイントとしてブランクにすでに含まれる所望のコンテンツ記述子を利用する可能性を有することが、扱いに慣れたユーザには効果的である。詳述の映画の例を参照すると、ユーザは、複数のバージョンが利用可能な場合には、「映画：オズの魔法使い」というキーワードを、当該映画の所望のバージョンを現在有する「映画：オズの魔法使いバージョン１９３９」というより正確なキーワードに拡張するようにしてもよい。
【００１０】
本発明の方法によると、所望のコンテンツ記述子は、記録媒体から同一又は異なるタイプの記録媒体に転送可能であることが好ましいかもしれない。これは、１つの記録媒体がすべての所望のコンテンツを格納し、又は所望のコンテンツ記述子を含むＤＶＤのコピーを取得するのに十分でない場合、特に有用である。
【００１１】
本発明の方法によると、記録媒体は、コンテンツの電気、磁気及び／又は光記録に適していることが好ましいかもしれない。従って、記録装置は、列挙された記録技術と互換的であることが必要である。例えば、ビデオカセットレコーダ（ＶＣＲ）、デジタル多用途ディスク（ＤＶＤ）レコーダ、パーソナルビデオレコーダ（ＰＶＲ）、デジタルビデオレコーダ（ＤＶＲ）又は類似の記録装置における本方法の適用が想定されうる。
【００１２】
本発明の方法によると、所望のコンテンツ記述子は、キーワード又はキーワードのリストであることが好ましいかもしれない。キーワードリストは、単に「スポーツ、フットボール」又はアクションなどのトピック又はジャンルを規定するものであってもよい。
【００１３】
本発明の方法によると、所望のコンテンツ記述子は、所定のコンテンツ記述子フォーマットに従うことが好ましいかもしれない。所定のコンテンツ記述フォーマットは、例えば、「マルチメディアタイプ：映画；キーワード／タイトル：「オズの魔法使い」；年；１９３９」など、これに従ってパラメータ化可能なデータ構造であってもよい。あるいは、マルチメディアソースにより提供され、記録媒体に記録される具体的なイベントを特定するのにコードが利用されてもよい。さらに、所定のコンテンツ記述フォーマットは、電子番組ガイド（ＥＰＧ）のフォーマットと互換性を有することが可能である。
【００１４】
本発明の方法によると、所望のコンテンツ記述子は、マルチメディアサンプルを有することが好ましいかもしれない。所望のコンテンツに対しマルチメディアソースのコンテンツをスキャンするのに利用される技術に応じて、所望のコンテンツ記述子に関する限り、例えば、音声トラックのみが利用可能な所望の音楽映像の短い音声シーケンスを利用することによって、キーワードリストやデータ構造より正確に所望のコンテンツを記述する音声又は画像サンプルを利用することが効果的であるかもしれない。
【００１５】
本発明の方法によると、所望のコンテンツ記述子は、所定のコンテンツ記述子であることが好ましいかもしれない。「所定の」という表現は、所望のコンテンツ記述子の規定が記録方法のユーザによっては実行されないように理解されるべきである。所定のコンテンツ記述子は、所望のコンテンツ記述子が記録媒体のブランクにすでに含まれる場合、記録媒体のメーカー又はそれの下請けにより規定されてもよい。ユーザが所定のコンテンツ記述子を自ら記録媒体に書き込む可能性を有する場合、所定のコンテンツ記述子が、インターネット又は友人の間の配布を介しユーザに利用可能とされるかもしれない。再び、ユーザは所望のコンテンツ記述子を自ら規定する手間が不要となるという効果が得られる。
【００１６】
本発明の方法によると、所望のコンテンツ記述子は、当該方法のユーザにより規定されることが好ましいかもしれない。このとき、ユーザは、記録媒体のメーカー／下請けによっては提供されない所望のコンテンツ記述子を規定するのにより高い自由度を有することとなる。
【００１７】
本発明の方法によると、少なくとも１つのマルチメディアソースからのコンテンツは、画像、音声及び／又はテキスト情報を有することが好ましいかもしれない。この情報は、例えば、イントラネット又はインターネットからの映像、音声サンプル又はウェブサイトであってもよい。
【００１８】
本発明の方法によると、少なくとも１つのマルチメディアソースは、テレビ及び／又はラジオ番組の受信機であることが好ましいかもしれない。この受信機は、ケーブル、衛星又は放送を介し番組を受信することが可能なものであってもよい。それはまた、有料テレビチャンネルや費用がかかる同様のコンテンツを受信及び復号することが可能なものであってもよい。
【００１９】
本発明の方法によると、前記少なくとも１つのマルチメディアソースは、コンピュータネットワーク、特にインターネットに接続される装置であることが好ましいかもしれない。イントラネットやインターネットとの接続は、文書及びウェブページの検索を実行するのに効果的であるかもしれない。また、電子番組ガイド（ＥＰＧ）を提供するサービス又は装置との接続が、少なくとも１つのマルチメディアソースを介し提供されてもよい。
【００２０】
本発明の方法によると、前記少なくとも１つのマルチメディアソースのコンテンツをスキャンするステップは、画像、音声及び／又はワード処理を有することが好ましいかもしれない。所望のコンテンツ記述子がキーワードのリストである場合、画像、音声及び／又はテキスト情報により表示可能なコンテンツは、所望のコンテンツ記述子がコンテンツに該当するか判断することを可能にする表現に変換される必要がある。例えば、当該コンテンツが音声情報を有する場合、音声サンプルをテキスト表現に変換し、その後、キーワードについてテキスト表現をスキャンするため、ある種の音声認識を実行することが効果的であるかもしれない。この技術はまた、付属の音声トラックを有する映像情報に適用可能である。しかしながら、特に所望のコンテンツ記述子が画像又は短い映像シーケンスを有するとき、画像ベースコンテンツ認識が画像認識技術により可能となる。コンテンツがテキストのみから構成されている場合、そうであるにも関わらず、当該テキスト表現を所望のコンテンツ記述子をフィルタリングするのに適した他のテキスト表現に変換する、例えば、ＨＴＭＬ（Ｈｙｐｅｒｔｅｘｔ  Ｍａｒｋｕｐ  Ｌａｎｇｕａｇｅ）ページをプレインテキスト形式に変換する必要があるかもしれない。この画像、音声及び／又はワード処理技術は、リアルタイムに入力されるコンテンツに適用可能であり、又は少なくとも１つのマルチメディアソースからのコンテンツが、さらなる画像、音声及び／又はワード処理のため一時的に格納されてもよい。上記コンテンツをスキャンするステップはまた、所望のコンテンツを検出するため、電子番組ガイド（ＥＰＧ）の照会を有するものであってもよい。
【００２１】
本発明の方法によると、少なくとも１つのマルチメディアソースのコンテンツをスキャンするステップは、利用可能なコンテンツ量及び／又はすでに記録されたコンテンツに応じて、動的に実行されることが好ましいかもしれない。これは、適合の質に応じて、該当するコンテンツに優先度が割り当てられることに関するものであってもよい。例えば、ブランクの記録媒体では、所望のコンテンツ記述子（低優先度）にゆるく関連付けされたコンテンツが、該当するコンテンツが全く検出されない場合にユーザが失望しないことを保証するため記録される。しかしながら、スキャン処理の継続により、より良く該当するコンテンツ（高優先度）が検出される可能性があるかもしれない。記録媒体のスペースが不足してくると、記録装置は、以前に記録されたゆるく適合したコンテンツが、密接に適合したコンテンツの記録を可能にするため、削除される必要があるということを決定するかもしれない。スキャン処理では、複数の記録を回避するため、同一の所望のコンテンツの複数の提供を検出することがさらに可能であってもよい。さらに、適切なカバーを保証するため、スキャンされるコンテンツが所望のコンテンツ記述子に適合するか判断する機能の閾値を自動調整することが可能であってもよい。ワード処理に関して、このアプローチは、例えば、大文字と小文字の区別や誤記を無視するものであってもよい。さらに、所望のコンテンツ記述子として実際に提供されるキーワードの範囲を拡大する意味的マッチング技術が適用されてもよい。例えば、ある種のシソーラスが、所望のコンテンツ記述子により本来表現されるようなキーワードに追加されるさらなるキーワードリストを構成するため適用することが可能である。キーワードが「猿」であった場合、意味的マッチングは、マッチングの範囲を「猿、類人猿、チンパンジー、ゴリラ」に拡張するかもしれない。従って、ワールドワイドウェブ（ＷＷＷ）に使用されるような意味的ウェブ技術などの技術が適用可能である。この意味的マッチングは、適合度に応じた優先度を適合するコンテンツに割り当てる上述のアプローチと共に特に効果的である。さらに、所望のコンテンツ記述子により良くマッチするスキャンされたコンテンツが検出されると、上記適合するコンテンツを削除することを可能にするため、すでに記録されているコンテンツを認識していることが必要とされるかもしれない。
【００２２】
さらに、デジタルコンピュータの内部メモリに直接ロード可能なコンピュータプログラムであって、コンピュータ上での実行時、上記方法の各ステップを実行するためのソフトウェアコード部分を有することを特徴とするコンピュータプログラムが提案される。このデジタルコンピュータは、例えば、記録装置の中央処理ユニットであってもよい。
【００２３】
さらに、所望のコンテンツ記述子を有する記録媒体にコンテンツを記録する装置であって、前記記録媒体から前記所望のコンテンツ記述子を読み出す手段と、前記所望のコンテンツ記述子に該当する所望のコンテンツのため少なくとも１つのマルチメディアソースのコンテンツをスキャンする手段と、前記記録媒体に前記所望のコンテンツを記録する手段とを有することを特徴とする装置が提案される。当該装置は、例えば、ビデオカセットレコーダ（ＶＣＲ）、デジタル多用途ディスク（ＤＶＤ）レコーダ、パーソナルビデオレコーダ（ＰＶＲ）、デジタルビデオレコーダ（ＤＶＲ）又は類似の記録装置であってもよく、当該記録装置は、所望のコンテンツ記述子の読み出し、及びマルチメディアソースからのコンテンツのスキャンを実行する向上した機能を有する。所望のコンテンツ記述子がユーザとのやりとりにより記録媒体に書き込み可能な場合、書き込み処理を実行するためのさらなる機能が、装置に含まれることが必要とされる。
【００２４】
本発明の装置によると、少なくとも１つのマルチメディアソースのコンテンツをスキャンする手段は、画像、音声及び／又はワード処理する手段を有することが好ましいかもしれない。当該手段は、例えば、マルチメディアソースからの入力コンテンツを一時的に格納する格納手段をさらに有するようにしてもよい。
【００２５】
さらに、所望のコンテンツ記述子を有する記録媒体であって、前記所望のコンテンツ記述子は、該所望のコンテンツ記述子に該当し、当該記録媒体に記録される所望のコンテンツのため少なくとも１つのマルチメディアソースのコンテンツのスキャンをトリガーするため、当該記録媒体から読み出し可能であることを特徴とする記録媒体が提案される。
【００２６】
当該記録媒体は、すべてのコンテンツが通常記録される標準的な記録位置又は特別な位置に所望のコンテンツ記述子を有するものであってもよい。さらに、所望のコンテンツ記述子は、コンテンツが記録媒体に記録される技術とは異なる技術により記録媒体に書き込みされてもよい。例えば、任意的にはキーワードが、記録装置により読み出し可能なバーコードにより磁気ビデオテープ又は光ＤＶＤの特別なフィールドに書き込みされてもよい。
【００２７】
本発明の記録媒体によると、当該記録媒体は、コンテンツの電気、磁気及び／又は光記録に適していることが好ましいかもしれない。従って、当該記録装置は、例えば、磁気テープ、ＤＶＤ、ＰＶＲ又はＤＶＲのハードディスクとして実現されてもよい。
【００２８】
本発明の上記及び他の特徴は、以降に記載される実施例を参照することにより明らかにされる。
【発明を実施するための最良の形態】
【００２９】
図１は、所望のコンテンツ記述子（ＤＣＤ）３を含む記録媒体２に所望のコンテンツを記録するための記録装置１の実施例の基本コンポーネントを概略的に示す。好適な実施例では、装置１はＤＶＤレコーダとして実現され、記録媒体２は、製造過程においてＤＶＤのトラックに書き込まれた符号化情報などとして、上記ＤＣＤ３を有するＤＶＤ２として実現される。あるいは、ＤＣＤ３は、ユーザインタフェース５を介した記録装置１への入力に従って、ＤＣＤライター４によりＤＶＤ２に書き込みされてもよい。その後、ＤＣＤ３は、ユーザ自身により規定されるか、あるいは、インターネットなどの配信ソースを介しユーザに利用可能とされてもよい。本実施例１では、ＤＣＤ３は、その製造過程においてＤＶＤ２に書き込まれたいくつかのキーワード、すなわち、「チャンピオンズリーグサッカーマッチ２００３、フル記録、コメント、結果、ゴール、背景情報」のリストである。本方法のユーザは、２００３年のチャンピオンズリーグサッカーマッチのトピックスに関して可能な限り多くの情報を記録することを所望しているため、ＤＣＤ３を含むＤＶＤブランク２を購入している。
【００３０】
記録装置１は、ＤＣＤ３に一致するコンテンツに対してスキャン可能なマルチメディアソースとして機能するＴＶ受信機６とインターネットアクセスポイント７とのインタフェースを有する。ＴＶ受信機は、例えば、ケーブル、衛星又は配信接続を介し受信される各テレビ及びラジオチャンネルにチューニング可能なチューナーであってもよい。ＴＶ受信機はさらに、おそらくＤＶＤブランク２のＤＣＤに含まれていたアクセスコードにより有料テレビチャンネルを復号し、ＴＶ又はラジオ番組又はニュースに関するテキスト情報など、ＴＶ又はラジオ番組に付属する付加情報を復元する機能を有するようにしてもよい。このような付加情報は、ＴＶやラジオチャンネルを搬送する同一又は異なる周波数キャリアに変調されてもよく、後述されるように、所望のコンテンツを検出するようさらに処理されてもよい。特に、ＴＶ受信機６は、電子番組ガイド（ＥＰＧ）へのアクセスを提供するかもしれない。ＴＶ受信機６の制御は、ＴＶ受信機６を各ＴＶ又はラジオチャンネルにチューニングすることを可能にするＴＶ受信機制御ユニット８により実現される。記録装置１はまた、単一の又は複数のＴＶ受信機制御ユニット８を有する複数のＴＶ受信機６に接続されてもよい。インターネットアクセスポイント７は、インターネットに接続されるコンピュータであってもよい。それは、ブラウジング及び検索機能を提供するインターネットアクセスポイント制御ユニット９により制御され、これにより、映像、音声又はテキストを有する複数のウェブページが、インターネットアクセスポイント７を介し検出される。
【００３１】
ＴＶ受信機６及びインターネットアクセスポイント７からのコンテンツ１０は、一時的格納ユニット１１に連続的に格納される。この一時的格納ユニット１１は、任意的なものである。格納されているコンテンツ１２、又は一時的格納ユニット１１が求められていいないときにはコンテンツ１０が、映像／音声／ワード処理ユニット１３に連続的に転送される。当該ユニットでは、入力されるコンテンツ１０／１２は、ＤＣＤ３に一致するコンテンツを決定するため、マッチングユニット１５がＤＣＤ３とコンテンツ１０／１２を比較することを可能にするコンテンツ表現１４に転送される。ＤＣＤ３は、ＤＶＤ２が記録装置１に挿入されると、ＤＣＤを自動的に読み出すＤＣＤリーダ１６を介しマッチングユニット１５に利用可能とされる。
【００３２】
本実施例では、ＴＶ受信機６から受信されるコンテンツは、音声及び／又は画像処理を受ける。例えば、ＴＶ受信機６がＴＶ受信機制御ユニット８の制御の下、ラジオチャンネルにスイッチされる場合、マッチングユニット１５によりテキストのＤＣＤ３と比較可能な音声コンテンツの表現を生成するため、音声認識技術が映像／音声／ワード処理ユニット１３により適用される。全く同様に、ＴＶ受信機６がＴＶ受信機制御ユニット８により、あるＴＶチャンネルに切り替えられる場合、主として、ＴＶ番組の音声トラックの音声認識が、マッチングユニットにより理解可能なコンテンツ表現１４を生成するよう適用される。しかしながら、例えば、マッチングユニット１５がコンテンツ表現１４において「チャンピオンズリーグ」又は同様の単語を検出することを可能にするため、ＴＶ番組に含まれる映像トラックに対して画像認識技術を実行することがさらに効果的であるかもしれない。さらに、インターネットアクセスポイント７から生じるコンテンツ１０／１２は、生テキストフォーマットにより、又はテキスト表現から抽出されたＨＴＭＬタグにより、ＨＴＭＬページのコンテンツ表現１４を生成するため、映像／音声／ワード処理ユニット１３により処理されてもよい。
【００３３】
マッチングユニット１５は、コンテンツ表現１４がＤＣＤ３に一致するか実際に決定する。コンテンツ表現１４が音声認識又はＨＴＭＬからテキストへの変換により生成されるようなテキストである場合、また、ＤＣＤ３が本実施例と同様にキーワードのリストである場合、一致は容易に決定され、例えば、マッチングユニットは、キーワードのうちの１つ又は２つがコンテンツ表現１４に検出されると、所望のコンテンツが検出されたと決定することができる。この場合、マッチングユニット１５は、本実施例ではＤＶＤレコーダの書き込みヘッドである、記録手段１９を介する記録媒体３への所望のコンテンツの記録をトリガーする。
【００３４】
コンテンツ表現１４によりマッチングされる必要があるキーワード数などのマッチングユニット１５の閾値は、さらなるユーザインタフェース１８を介し入力可能なマッチングパラメータ１７によりさらに影響を受けうる。これらのマッチングパラメータ１７は、特に意味的マッチング技術が適用される場合、より広い又は狭いマッチング処理を構成するよう設定されてもよい。このような意味的マッチング技術は、大文字と小文字の区別やキーワード又はコンテンツの誤記の無視、ワールドワイドウェブに使用されるようなセマティックウェブ技術及びシソーラスの適用を有するようにしてもよい。「チャンピオンズリーグ」のキーワードリストの例を参照するに、コンテンツ表現１４が「チャンピオンズリーグ」の表現を含まなくても、試合をするチームのチーム名しか含ない場合であっても、記録がトリガーされるようにしてもよい。チャンピオンズリーグ、参加チーム及びスケジュールに関する他のコンテクスト情報から、意味的マッチング処理は、当該番組がチャンピオンズリーグ試合の１つであるに違いないと推測することができるであろう。マッチングユニット１５は、利用可能なコンテンツとすでに記録されているコンテンツに関して、動的であることが効果的であるかもしれない。多数のコンテンツがＴＶ受信機６とインターネットアクセスポイント７を介し利用可能である場合、マッチング処理はより狭いものとなりうる。例えば、コンテンツ表現１４において一緒に検出される必要があるキーワード数は、より大きなものとならなければならない。コンテンツが各ＴＶチャンネル又は各時刻に複数検出される場合、マッチングユニット１５は、効果的には、ＤＶＤ２のスペースを節約するため、このようなコンテンツの重複記録を回避するための機能を提供する。さらに、マッチングユニット１５は、例えば、コンテンツ表現１４の一致するキーワード数に関して、検出したコンテンツにある優先度を割当て、以降において高い優先度のコンテンツが検出され、ＤＶＤスペースが不足すると、以前に記録された低い優先度のコンテンツを削除することができる。マッチングユニット１５はさらに、ＴＶ受信機制御ユニット８とインターネットアクセスポイント制御ユニット９を制御する機能を有する。従って、利用可能なＴＶ及びラジオチャンネルの走査及び各ウェブページの検索が、利用可能なマルチメディアソース６と７の最適なスキャンを可能にするようマッチングユニット１５により開始することができる。
【００３５】
最終的に、記録装置１は、記録されたコンテンツの再生を可能にする再生手段２０を有する。このため、再生手段２０は、記録媒体２からコンテンツを読み出す手段と、記録されたコンテンツが最終的に提供可能なディスプレイ及び／又はスピーカーユニット２１とのインタフェースを有する。
【００３６】
本発明が、好適な実施例により上述された。ここで、添付された請求項の範囲及び趣旨から逸脱することなく実現可能であって、当業者に自明な他の方法及び変形が存在するということが留意されるべきである。例えば、記録装置１は、ＶＣＲなどの磁気記録装置、又はＤＶＲなどの電子記録装置であってもよい。記録媒体２上のＤＣＤ３の読み書きは、追加的なＤＣＤリーダ１６及びライター４の代わりに、それぞれ再生手段２０と記録手段１９により実行可能である。キーワードリストの代わりに、音声サンプルの画像がＤＣＤとして規定されてもよい。最後に、本発明の方法を実行するのに必要とされるコンポーネントは、最新の記録装置へのアドオンコンポーネントとして実現されてもよいし、あるいは、新たな製品に一体化されてもよい。さらに、記録装置、ＴＶ受信機及びディスプレイ／スピーカーを単一の装置に一体化することも可能である。
【図面の簡単な説明】
【００３７】
【図１】図１は、本発明による所望のコンテンツを記録するための装置の概略図である。
【図１】
2007511856.tif 000003
【国際調査報告】
2007511856.tif 000004
2007511856.tif 000005
2007511856.tif 000006